(57)【特許請求の範囲】
【請求項１】
液透過性のトップシートと、液不透過性のバックシートと、これらの間に配されパルプ繊維を含む第１主吸収性コアとを有する主吸収体と；
前記主吸収体の上面の幅方向一方側に設けられ、第１補助吸収性コアを有する第１補助吸収体と；
前記主吸収体の上面の幅方向他方側に設けられ、第２補助吸収性コアを有する第２補助吸収体とを有し；
前記第１補助吸収体と前記第２補助吸収体は、幅方向の外方側が、前記第１主吸収性コアの幅方向両側縁より外方で前記主吸収体に接合されるとともに、幅方向の内方側が、少なくとも長手方向の中間部において前記主吸収体に接合されず；
前記第１主吸収性コアは、幅方向の両側縁が直線形状に形成され；
前記主吸収体には、前記第１主吸収性コアの幅方向両側縁より外方の前記第１補助吸収体または前記第２補助吸収体が接合されない部分に、長手方向に延びる弾性部材が設けられていることを特徴とする吸収性物品。
【請求項２】
前記第１補助吸収性コアと前記第２補助吸収性コアはパルプ繊維を含む請求項１に記載の吸収性物品。
【請求項３】
前記第１補助吸収体と前記第２補助吸収体は、幅方向の内方縁から１０ｍｍ以上の領域が、前記主吸収体に接合しない請求項１または２に記載の吸収性物品。
【請求項４】
前記弾性部材は、前記第１主吸収性コアの幅方向両側縁より５ｍｍ以上離間して設けられる請求項１〜３のいずれか一項に記載の吸収性物品。
【請求項５】
前記第１補助吸収体と前記第２補助吸収体は、長手方向の中間部で２５ｍｍ以上離間している請求項１〜４のいずれか一項に記載の吸収性物品。
【請求項６】
前記主吸収体は、前記第１主吸収性コアと前記バックシートの間に配された第２主吸収性コアを有し、
前記第２主吸収性コアは、不織布シート間に吸水性樹脂を有しパルプ繊維を有しない請求項１〜５のいずれか一項に記載の吸収性物品。
【請求項７】
前記第２主吸収性コアは、前記第１主吸収性コアより幅方向に広い請求項６に記載の吸収性物品。
【請求項８】
前記第２主吸収性コアは、不織布シート間に、吸水性樹脂が配された吸水性樹脂存在領域と、前記吸水性樹脂存在領域に隣接して長手方向に延在する吸水性樹脂非存在領域とを有し、
前記弾性部材は、前記吸水性樹脂非存在領域に配されている請求項６または７に記載の吸収性物品。
【請求項９】
前記第２主吸収性コアは、前記吸水性樹脂非存在領域で、前記不織布シートどうしが接合されている請求項８に記載の吸収性物品。
【請求項１０】
前記第１補助吸収体と前記第２補助吸収体は、幅方向の内方縁に切欠きが形成されている請求項１〜９のいずれか一項に記載の吸収性物品。
【発明の詳細な説明】
【技術分野】
【０００１】
本発明は、尿パッド、使い捨ておむつ、生理用ナプキン等の吸収性物品に関するものである。
【背景技術】
【０００２】
従来、吸収性コアが幅方向に複数に分割され、この分割された吸収性コア片の間の隙間に弾性部材が長手方向に配された吸収性物品が知られている（特許文献１）。この吸収性物品は、吸収体片の隙間に配された弾性部材の収縮力により、着用者の股間部で吸収性物品のフィット性を高めている。
【先行技術文献】
【特許文献】
【０００３】
【特許文献１】特開２００２−１４３２１５号公報
【発明の概要】
【発明が解決しようとする課題】
【０００４】
しかし、特許文献１に開示される吸収性物品は、股間部で着用者の肌に対する密着性は高められるが、着用者の股間の幅に適合するように股間部での幅方向のフィット性を高めることは難しい。
【０００５】
本発明は前記事情に鑑みてなされたものであり、その目的は、着用者の股間の幅に合わせて幅狭に形成することができ、股間部付近での収まりが良好な吸収性物品を提供することにある。
【課題を解決するための手段】
【０００６】
前記課題を解決することができた本発明の吸収性物品とは、液透過性のトップシートと、液不透過性のバックシートと、これらの間に配されパルプ繊維を含む第１主吸収性コアとを有する主吸収体と；主吸収体の上面の幅方向一方側に設けられ、第１補助吸収性コアを有する第１補助吸収体と；主吸収体の上面の幅方向他方側に設けられ、第２補助吸収性コアを有する第２補助吸収体とを有し；第１補助吸収体と第２補助吸収体は、幅方向の外方側が、第１主吸収性コアの幅方向両側縁より外方で主吸収体に接合されるとともに、幅方向の内方側が、少なくとも長手方向の中間部において主吸収体に接合されず；主吸収体には、第１主吸収性コアの幅方向両側縁より外方の第１補助吸収体または第２補助吸収体が接合されない部分に、長手方向に延びる弾性部材が設けられているところに特徴を有する。
【０００７】
本発明の吸収性物品は、主吸収体に設けられる弾性部材の収縮力により、主吸収体が、第１主吸収体の幅方向両側縁を基点として、それより外方の部分が立ち上がりやすくなる。その結果、主吸収体の幅方向の一方側に設けられた第１補助吸収体と他方側に設けられた第２補助吸収体が幅方向の内方にスライドして、吸収性物品の幅が狭くなる。そのため、吸収性物品は着用者の股間の幅に合わせて幅狭に形成することができ、吸収性物品の着用者の股間部付近での収まりが良好となる。
【０００８】
第１補助吸収性コアと第２補助吸収性コアはパルプ繊維を含むことが好ましい。この場合、第１補助吸収性コアと第２補助吸収性コアがある程度の剛性を有するようになり、第１補助吸収性コアと第２補助吸収性コアが変形したりして幅方向にスライドしにくくなることが防止されやすくなる。
【０００９】
第１補助吸収体と第２補助吸収体は、幅方向の内方縁から１０ｍｍ以上の領域が主吸収体に接合しないことが好ましい。このように第１補助吸収体と第２補助吸収体の幅方向の内方側に主吸収体に接合しない部分が形成されれば、第１補助吸収体と第２補助吸収体が幅方向にスライドして、吸収性物品の幅を効果的に狭めることができる。
【００１０】
主吸収体に設けられる弾性部材は、第１主吸収性コアの幅方向両側縁より５ｍｍ以上離間していることが好ましい。このように主吸収体に弾性部材が設けられれば、第１補助吸収体と第２補助吸収体が幅方向にスライドして、吸収性物品の幅を効果的に狭めることができる。
【００１１】
第１補助吸収体と第２補助吸収体は、長手方向の中間部で２５ｍｍ以上離間していることが好ましい。このように第１補助吸収体と第２補助吸収体が設けられれば、第１補助吸収体と第２補助吸収体が幅方向の内方にスライドしても、第１補助吸収体と第２補助吸収体が互いに重なりにくくなり、主吸収体の吸収能力が十分活用されやすくなる。また、尿等が主吸収体に収容されやすくなり、横漏れが防止されやすくなる。
【００１２】
主吸収体は、第１主吸収性コアとバックシートの間に配された第２主吸収性コアを有してもよく、第２主吸収性コアは、不織布シート間に吸水性樹脂を有しパルプ繊維を有しないことが好ましい。第２主吸収性コアは不織布シート間に吸水性樹脂を有しパルプ繊維を有しないため、高い吸収容量を有するにも関わらず、薄型に形成することができる。従って、主吸収体が第２主吸収性コアを有していれば、主吸収体の吸収能力が向上するとともに、第２主吸収性コアを第１主吸収性コアの幅方向の両側縁から延在するように設けても、第１主吸収性コアの幅方向の外方の部分が弾性部材の収縮力により容易に立ち上げられるようになる。
【００１３】
第２主吸収性コアは、第１主吸収性コアより幅方向に広いことが好ましい。このように第２主吸収性コアが設けられれば、第１主吸収性コアの幅方向の外方に移行した尿等が第２主吸収性コアにより吸収され、主吸収体での尿等の吸収能力が向上する。
【００１４】
第２主吸収性コアは、不織布シート間に、吸水性樹脂が配された吸水性樹脂存在領域と、吸水性樹脂存在領域に隣接して長手方向に延在する吸水性樹脂非存在領域とを有し、主吸収体に設けられる弾性部材が吸水性樹脂非存在領域に配されていることが好ましい。主吸収体に設けられる弾性部材が第２主吸収性コアの吸水性樹脂非存在領域に配されていれば、弾性部材の収縮力が吸水性樹脂の存在により阻害されにくくなる。
【００１５】
第２主吸収性コアは、吸水性樹脂非存在領域で、不織布シートどうしが接合されていることが好ましい。このように第２主吸収性コアが形成されていれば、第２主吸収性コアの吸水性樹脂が尿等を吸収して膨潤しても、不織布シートどうしが接合された封止部に吸水性樹脂が侵入しにくくなる。従って、弾性部材の収縮力が吸水性樹脂の存在により阻害されにくくなる。また、封止部では尿等が拡散しやすくなり、第２主吸収性コアにより尿等が速やかに吸収されるようになる。
【００１６】
第１補助吸収体と第２補助吸収体は、幅方向の内方縁に切欠きが形成されていてもよい。この場合、切欠きが形成された部分で第１補助吸収体と第２補助吸収体の間隔が広がり、当該部分で着用者から排泄された尿等のより多くの量を、主吸収体に移行させることができる。従って、尿等の横漏れが防止されやすくなる。
【発明の効果】
【００１７】
本発明の吸収性物品は、主吸収体の幅方向の一方側に設けられた第１補助吸収体と他方側に設けられた第２補助吸収体が幅方向の内方にスライドすることにより、吸収性物品を着用者の股間の幅に合わせて幅狭に形成することができ、吸収性物品の着用者の股間部付近での収まりが良好となる。
【図面の簡単な説明】
【００１８】
【図１】本発明の吸収性物品の一実施態様として、吸収性物品（尿パッド）を肌面側から見た平面図を表す。
【図２】図１に示した吸収性物品を外面側から見た平面図を表す。
【図３】図１に示した吸収性物品のＡ−Ａ断面の一例を表す。
【図４】図３に示した吸収性物品において、幅方向断面が幅狭に形成された状態を表す。
【図５】図１に示した吸収性物品の変形例を表す。
【図６】図１に示した吸収性物品のＡ−Ａ断面の他の一例を表す。
【発明を実施するための形態】
【００１９】
本発明の吸収性物品について、図面を参照して説明する。なお、本発明は、図面に示された実施態様に限定されるものではない。図１は、本発明の吸収性物品として尿パッドを一方面側から見た平面図を表す。図１は、尿パッドを着用した際の着用者の肌に面する側（肌面側）を表している。図２は、図１の尿パッドを他方面側から見た平面図を表す。図２は、尿パッドを着用した際の着用者とは反対側（外面側）を表す。図３は、図１のＡ−Ａ断面の一例を表す。図４は、図３に示した吸収性物品において、幅方向断面が幅狭に形成された状態を表す。
【００２０】
本願の図では、矢印ｘが幅方向、矢印ｙが長手方向を表し、矢印ｘ，ｙにより形成される面に対して垂直方向が上下方向ｚを表す。吸収性物品の長手方向とは、吸収性物品を着用者が着用した際、着用者の股間の前後方向に延びる方向を意味する。吸収性物品の幅方向とは、吸収性物品を平面に広げた状態で吸収性物品と同一面上にあり、長手方向と直交する方向を意味する。
【００２１】
吸収性物品１は、液透過性のトップシート３と、液不透過性のバックシート４と、これらの間に配された第１主吸収性コア５とを有する主吸収体２と、主吸収体２の上面の幅方向ｘの一方側に設けられた第１補助吸収体１１と、主吸収体２の上面の幅方向ｘの他方側に設けられた第２補助吸収体２１を有する。なお、本発明において、「上面」とは、吸収性物品を着用した際の着用者側の面を意味し、「下面」とは、吸収性物品を着用した際の着用者とは反対側の面を意味する。吸収性物品１は、主吸収体２により尿等の排泄物が吸収されるとともに、第１補助吸収体１１と第２補助吸収体２１によっても尿等の排泄物が吸収される。
【００２２】
主吸収体２は、トップシート３とバックシート４と第１主吸収性コア５を少なくとも有する。主吸収体２は、さらに別の吸収性コアを有していてもよく、例えば、後述するようにさらに第２主吸収性コア７を有してもよい。
【００２３】
トップシート３は液透過性であればその材料は特に限定されない。尿等の排泄物はトップシート３を通って第１主吸収性コア５に吸収される。トップシート３としては、例えば、セルロース、レーヨン、コットン等の親水性繊維から形成された不織布や；ポリプロピレン、ポリエチレン、ポリエステル、ポリアミド、ナイロン等の疎水性繊維から形成された不織布であって、疎水性繊維の表面が界面活性剤により親水化されたもの等を用いることができる。また、トップシートとして、織布、編布、孔が形成されたプラスチックフィルムを用いてもよい。
【００２４】
バックシート４は液不透過性であれば特にその材料は限定されない。バックシート４は、排泄物が外部へ漏れるのを防ぐ。バックシート４としては、ポリプロピレン、ポリエチレン、ポリエステル、ポリアミド、ナイロン等の疎水性繊維から形成された不織布や、プラスチックフィルム等を用いることができる。また、不織布とプラスチックフィルムとの積層体を用いてもよい。
【００２５】
トップシート３やバックシート４として不織布を用いる場合、不織布としては、スパンボンド法、エアスルー法、ポイントボンド法、メルトブロー法、エアレイド法やそれらの製法の組み合わせ等により製造されるものが好ましい。また、スパンボンド法とメルトブロー法を組み合わせたＳＭＳ法により製造された不織布を用いてもよい。
【００２６】
第１主吸収性コア５は、トップシート３とバックシート４との間に配され、尿等の排泄物を吸収する。第１主吸収性コア５は少なくともパルプ繊維を含む。第１主吸収性コア５がパルプ繊維を含んでいれば、第１主吸収性コア５はある程度の厚みと剛性を有するようになるため、後述するように第１主吸収性コア５の幅方向ｘの両側縁より外方に弾性部材６が設けられても、主吸収体２は第１主吸収性コア５が設けられた部分で折れ曲がりにくくなる。つまり、弾性部材６の収縮力により、主吸収体２が、第１主吸収性コア５の幅方向ｘの両側縁を基点として、それより外方の部分が立ち上がりやすくなる。
【００２７】
第１主吸収性コア５に含まれるパルプ繊維としては、解繊パルプ繊維が好ましく用いられる。また、解繊パルプ繊維は、繊維塊として用いられることが好ましい。
【００２８】
第１主吸収性コア５としては、パルプ繊維等の吸収性材料を所定形状に成形した成形体を用いたり、吸収性材料を紙シート（例えば、ティッシュペーパー）や液透過性不織布等の被覆シートで覆ったものを用いることができる。
【００２９】
第１主吸収性コア５は、パルプ繊維に加え、吸水性樹脂を含んでいてもよい。吸水性樹脂は、吸収性材料の一部として用いられる。吸水性樹脂としては、ポリアクリル酸ナトリウム等のポリアクリル酸系の吸水性樹脂；デンプン−アクリロニトリルグラフト共重合体、デンプン−アクリル酸グラフト共重合体、デンプン−アクリルアミドグラフト共重合体等のデンプン系の吸水性樹脂；ポリビニルアルコール架橋体等のポリビニルアルコール系の吸水性樹脂等を用いることができる。吸水性樹脂としては、高い吸収容量を有する点で、ポリアクリル酸ナトリウム等のポリアクリル酸系の吸水性樹脂を用いることが好ましい。第１主吸収性コア５が吸水性樹脂を有していれば、第１主吸収性コア５の吸収容量を高めることができる。
【００３０】
第１主吸収性コア５は、パルプ繊維に加え、ポリエチレン、ポリプロピレン等のポリオレフィン繊維や、ＰＥＴ等のポリエステル繊維、ポリアミド繊維等の熱融着性繊維を有してもよい。熱融着性繊維は、吸収性材料の一部として用いられる。熱融着性繊維とは、熱可塑性樹脂からなる繊維を意味する。第１主吸収性コア５にこれらの繊維が含まれていれば、繊維集合層の保形性を高めやすくなる。熱融着性繊維は、尿等の体液との親和性を高めるために、界面活性剤等により親水化処理されていてもよい。
【００３１】
第１主吸収性コア５の目付は、８０ｇ／ｍ2以上が好ましく、１００ｇ／ｍ2以上がより好ましく、また２００ｇ／ｍ2以下が好ましく、１８０ｇ／ｍ2以下がより好ましい。第１主吸収性コア５の目付が８０ｇ／ｍ2以上であれば、第１主吸収性コア５が十分な剛性を有しやすくなる。第１主吸収性コア５の目付が２００ｇ／ｍ2以下であれば、吸収性物品１の全体が厚くなり過ぎず、吸収性物品１の装着感が向上する。
【００３２】
第１主吸収性コア５の形状としては、例えば、長方形、砂時計型、ひょうたん型、羽子板型等が挙げられる。なかでも、第１主吸収性コア５は、幅方向ｘの両側縁が直線形状であることが好ましく、長方形であることがより好ましい。第１主吸収性コア５がこのような形状であれば、第１主吸収性コア５の幅方向ｘの両側縁より外方に設けられる弾性部材６の収縮力により、主吸収体２は、第１主吸収性コア５の幅方向ｘの両側縁を起点として、それより外方の部分が立ち上がりやすくなる。
【００３３】
第１主吸収性コア５は、バックシート４より幅方向ｘに狭く形成されている。すなわち、バックシート４は、第１主吸収性コア５の幅方向ｘの両側縁から外方に延在している。その結果、主吸収体２には、第１主吸収性コア５の幅方向ｘの両側縁より外方に、弾性部材６を設けることができる。なお、トップシート３は、幅方向ｘの長さがバックシート４と同じか、それより短いことが好ましい。
【００３４】
第１主吸収性コア５の幅方向ｘの両側縁より外方には、長手方向ｙに延びる弾性部材６が設けられる。第１主吸収性コア５の幅方向ｘの両側縁より外方に設けられた弾性部材６は、図４に示すように、第１主吸収性コア５の幅方向ｘの両側縁を起点として、それより外方の主吸収体２の部分を立ち上げるように作用する。その結果、主吸収体２の幅方向ｘの一方側に設けられた第１補助吸収体１１と他方側に設けられた第２補助吸収体２１とを吸収性物品１の幅方向ｘの内方にスライドさせて、吸収性物品１の幅（幅方向ｘの長さ）を狭くすることができる。そのため、吸収性物品１は、着用者の股間の幅に合わせて幅狭に形成することができ、吸収性物品１の着用者の股間部付近での収まりが良好となる。
【００３５】
弾性部材６としては、ポリウレタン糸、ポリウレタンフィルム、天然ゴム等の通常の吸収性物品に用いられる弾性伸縮材料が用いることができる。弾性部材６は、伸張状態で、ホットメルト接着剤で固定されることが好ましい。例えば、繊度１００〜２，５００ｄｔｅｘのポリウレタン糸を、倍率１．１〜５．０倍に伸張して配設し、固定する。接合手段としては、ゴム系のホットメルト接着剤を用いることが好ましい。
【００３６】
弾性部材６は、第１主吸収性コア５の幅方向ｘの両側縁より５ｍｍ以上離間して設けられることが好ましく、１０ｍｍ以上離間して設けられることがより好ましく、１５ｍｍ以上離間して設けられることがさらに好ましい。弾性部材６が第１主吸収性コア５の幅方向ｘの両側縁より５ｍｍ以上離間して設けられれば、第１および第２補助吸収体１１，２１が幅方向ｘにスライドすることにより、吸収性物品１の幅を効果的に狭めることができる。
【００３７】
弾性部材６は主吸収体２に設けられる限り、第１主吸収性コア５を除いて、主吸収体２を構成するいずれの部材に固定されてもよい。弾性部材６はトップシート３に接合されてもよく、バックシート４に接合されてもよく、その両方に接合されてもよい。弾性部材６は、主吸収体２の上面に設けられてもよいし、下面に設けられてもよいし、主吸収体２を構成する部材間に設けられてもよい。さらに後述するように、弾性部材６は第２主吸収性コア７に設けられてもよい。
【００３８】
主吸収体２の上面の幅方向ｘの一方側には第１補助吸収体１１が設けられ、主吸収体２の上面の幅方向ｘの他方側には第２補助吸収体２１が設けられる。第１および第２補助吸収体１１，２１は、第１および第２補助吸収体１１，２１の幅方向ｘの外方側が、第１主吸収性コア５の幅方向ｘの両側縁より外方で主吸収体２に接合されるとともに、第１および第２補助吸収体１１，２１の幅方向ｘの内方側が、長手方向ｙの中間部において主吸収体２に接合されない。図３では、第１および第２補助吸収体１１，２１は、接合部１０で主吸収体２に接合されている。
【００３９】
第１および第２補助吸収体１１，２１は、主吸収体２の上面に設けられ、第１主吸収性コア５の幅方向ｘの両側縁より外方で主吸収体２に接合される限り、主吸収体２のトップシート３に接合されてもバックシート４に接合されてもよい。図３では、第１および第２補助吸収体１１，２１はトップシート３に接合されているが、例えばトップシート３がバックシート４よりも幅狭な場合は、第１および第２補助吸収体１１，２１はバックシート４に接合されたり、あるいはトップシート３とバックシート４に跨って接合され得る。
【００４０】
第１および第２補助吸収体１１，２１は、幅方向ｘの外方側が主吸収体２に接合され、幅方向ｘの内方側が少なくとも長手方向ｙの中間部において主吸収体２に接合されない。第１および第２補助吸収体１１，２１は、少なくとも長手方向ｙの中間部において、幅方向ｘの内方側がいずれの部材にも接合されない。そのため、第１および第２補助吸収体１１，２１は、第１主吸収性コア５の幅方向ｘの両側縁より外方に設けられた弾性部材６の収縮力により、幅方向ｘの内方にスライドできるようになる。
【００４１】
第１および第２補助吸収体１１，２１は、幅方向ｘの外方側が、第１主吸収性コア５の幅方向ｘの両側縁より外方で主吸収体２に接合される。その結果、第１主吸収性コア５の幅方向ｘの両側縁より外方では主吸収体２と第１および第２補助吸収体１１，２１との間に隙間が形成されやすくなり、この隙間を利用して尿等が長手方向ｙに拡散しやすくなる。長手方向ｙに拡散した尿等は第１主吸収性コア５や第１および第２補助吸収性コア１３，２３により吸収されるため、吸収性物品１は尿等を速やかに吸収することが可能になる。
【００４２】
第１補助吸収体１１は、第１補助吸収性コア１３が存在する領域で主吸収体２に接合されることが好ましい。同様に、第２補助吸収体２１は、第２補助吸収性コア２３が存在する領域で主吸収体２に接合されることが好ましい。このように第１および第２補助吸収体１１，２１が主吸収体２に接合されれば、弾性部材６の収縮力により、第１および第２補助吸収体１１，２１が幅方向ｘの内方にスライドしやすくなる。
【００４３】
第１および第２補助吸収体１１，２１は、幅方向ｘの内方側が長手方向ｙの一部または全部で主吸収体２に接合されないが、幅方向ｘの内方側は、好ましくは、長手方向ｙの両端部が主吸収体２に接合され、長手方向ｙの中間部が主吸収体２に接合されない。なお、中間部は両端部の間に位置する部分を意味する。第１および第２補助吸収体１１，２１の幅方向ｘの内方側が、長手方向ｙの両端部において主吸収体２に接合されれば、第１および第２補助吸収体１１，２１の幅方向ｘの内方側がめくり上がりにくくなり、吸収性物品１を好適に使用しやすくなる。また、尿等が第１主吸収性コア５の幅方向ｘの外方で長手方向ｙに拡散しても、吸収性物品１の長手方向ｙの端部を越えて漏れにくくなる。第１および第２補助吸収体１１，２１は、幅方向ｘの内方側で、中間部として長手方向ｙの３０％以上９０％以下の部分（より好ましくは４０％以上８０％以下の部分）が主吸収体２に接合されず、残りの部分が主吸収体２に接合されることが好ましい。なお、前記説明した中間部の好ましい範囲は、吸収性物品１に配された弾性部材を伸張させて吸収性物品１を完全に広げた状態に基づく。
【００４４】
第１および第２補助吸収体１１，２１は、幅方向ｘの内方縁から１０ｍｍ以上の領域が主吸収体２に接合しないことが好ましい。すなわち、第１および第２補助吸収体１１，２１は、幅方向ｘの内方縁から１０ｍｍ以上にわたって主吸収体２に接合しない部分が存在することが好ましい。このように第１および第２補助吸収体１１，２１の幅方向ｘの内方側に主吸収体２に接合しない部分が形成されれば、第１および第２補助吸収体１１，２１が幅方向ｘにスライドして、吸収性物品１の幅を効果的に狭めることが可能となる。より好ましくは、第１および第２補助吸収体１１，２１は、幅方向ｘの内方縁から２０ｍｍ以上の領域が主吸収体２に接合せず、さらに好ましくは、幅方向ｘの内方縁から３０ｍｍ以上の領域が主吸収体２に接合しない。
【００４５】
第１補助吸収体１１と第２補助吸収体２１は、長手方向ｙの中間部で２５ｍｍ以上離間していることが好ましい。このように第１補助吸収体１１と第２補助吸収体２１が設けられれば、第１補助吸収体１１と第２補助吸収体２１が幅方向ｘの内方にスライドしても、第１補助吸収体１１と第２補助吸収体２１が互いに重なりにくくなり、主吸収体２の吸収能力が十分活用されやすくなる。また、尿等が主吸収体２に収容されやすくなり、横漏れが防止されやすくなる。より好ましくは、第１補助吸収体１１と第２補助吸収体２１は、長手方向ｙの中間部で４０ｍｍ以上離間している。なお、前記説明した第１補助吸収体１１と第２補助吸収体２１の位置関係は、吸収性物品１に配された弾性部材を伸張させて吸収性物品１を完全に広げた状態に基づく。
【００４６】
第１補助吸収体１１と第２補助吸収体２１は、第１主吸収性コア５に対し、次のように配されることが好ましい。すなわち、第１補助吸収性コア１３と第２補助吸収性コア２３は、幅方向ｘの内方縁（内方縁のうち最も内方にある部分）が、第１主吸収性コア５と重なるか、第１主吸収性コア５の幅方向ｘの両側縁から外方に１５ｍｍ以内（より好ましくは１０ｍｍ以内であり、さらに好ましくは５ｍｍ以内）にあることが好ましい。この場合、第１主吸収性コア５の幅方向ｘの外方に第１補助吸収性コア１３または第２補助吸収性コア２３が重ならない領域が少なくなるため、第１主吸収性コア５の幅方向ｘの外方に移行した尿等が、第１主吸収性コア５、第１補助吸収性コア１３、第２補助吸収性コア２３のいずれかに速やかに吸収されやすくなる。
【００４７】
第１補助吸収性コア１３と第２補助吸収性コア２３は、第１主吸収性コア５と重なる部分が少ないことが好ましい。具体的には、第１補助吸収性コア１３と第２補助吸収性コア２３は、幅方向ｘの内方縁（内方縁のうち最も内方にある部分）が、第１主吸収性コア５の幅方向ｘの両側縁から１５ｍｍ以内（より好ましくは１０ｍｍ以内であり、さらに好ましくは５ｍｍ以内）にあることが好ましい。この場合、吸収性物品１は厚みが厚くなりすぎず、着用感が向上する。なお、前記説明した第１および第２補助吸収性コア１３，２３と第１主吸収性コア５の位置関係は、吸収性物品１に配された弾性部材を伸張させて吸収性物品１を完全に広げた状態に基づく。
【００４８】
主吸収体２の弾性部材６は、第１主吸収性コア５の幅方向ｘの両側縁より外方に設けられるが、第１補助吸収体１１と第２補助吸収体２１に対する位置関係に関しては、次のように配されることが好ましい。すなわち、弾性部材６は、第１主吸収性コア５の幅方向ｘの両側縁より外方の第１補助吸収体１１と第２補助吸収体２１が接合されない部分に設けられることが好ましい。例えば、弾性部材６の全部が、第１補助吸収体１１または第２補助吸収体２１が主吸収体２に接合される部分（すなわち図３における接合部１０）に設けられると、弾性部材６は主吸収体２の幅方向ｘの外方の部分とともに第１および第２補助吸収体１１，２１も上方に持ち上げるように作用するため、第１および第２補助吸収体１１，２１が幅方向ｘの内方にスライドしにくくなる。つまり、弾性部材６が、第１補助吸収体１１または第２補助吸収体２１が主吸収体２に接合されない部分に設けられれば、弾性部材６の収縮力により第１および第２補助吸収体１１，２１を幅方向ｘの内方にスライドさせて、吸収性物品１の幅（幅方向ｘの長さ）を狭くしやすくできる。なお、弾性部材６は、少なくとも一部が、第１補助吸収体１１または第２補助吸収体２１が主吸収体２に接合されない部分に設けられればよい。
【００４９】
弾性部材６は、第１補助吸収体１１または第２補助吸収体２１が主吸収体２に重なる部分に設けられることが好ましい。このように弾性部材６が設けられれば、弾性部材６は第１および第２補助吸収体１１，２１を上方に持ち上げつつ、第１主吸収性コア５の幅方向ｘの外方の部分を立ち上げるように作用するため、第１および第２補助吸収体１１，２１が幅方向ｘの内方にスライドしやすくなる。
【００５０】
弾性部材６は、長手方向ｙに対し、中間部の４０％以上にわたって設けられることが好ましく、５０％以上にわたって設けられることがより好ましい。弾性部材６が中間部の４０％以上にわたって設けられれば、弾性部材６の収縮力により第１主吸収性コア５の幅方向ｘの外方の部分を立ち上げて、第１および第２補助吸収体１１，２１を幅方向ｘの内方にスライドさせやすくなる。なお、弾性部材６は、中間部の領域を越えて延在してもよい。
【００５１】
第１補助吸収体１１は少なくとも第１補助吸収性コア１３を有すればよく、図３に示すように、第１補助吸収性コア１３が第１補助シート１２に包まれてもよい。同様に、第２補助吸収体２１は少なくとも第２補助吸収性コア２３を有すればよく、図３に示すように、第２補助吸収性コア２３が第２補助シート２２に包まれてもよい。
【００５２】
第１および第２補助吸収性コア１３，２３としては、第１主吸収性コア５に使用可能な吸収性材料を用いればよく、吸収性材料を所定形状に成形した成形体を用いたり、吸収性材料を紙シート（例えば、ティッシュペーパー）や液透過性不織布等の被覆シートで覆ったものを用いることができる。
【００５３】
第１および第２補助吸収性コア１３，２３は、吸収性材料としてパルプ繊維を含むことが好ましい。第１および第２補助吸収性コア１３，２３がパルプ繊維を含んでいれば、第１および第２補助吸収性コア１３，２３がある程度の剛性を有するようになるため、第１および第２補助吸収体１１，２１が変形したりして幅方向ｘにスライドしにくくなることを防止しやすくなる。第１および第２補助吸収性コア１３，２３に含まれるパルプ繊維としては、第１主吸収性コア５に好適に用いられるパルプ繊維を用いればよい。
【００５４】
第１および第２補助吸収性コア１３，２３の目付は、８０ｇ／ｍ2以上が好ましく、１００ｇ／ｍ2以上がより好ましく、また２００ｇ／ｍ2以下が好ましく、１８０ｇ／ｍ2以下がより好ましい。第１および第２補助吸収性コア１３，２３の目付が８０ｇ／ｍ2以上であれば、第１および第２補助吸収性コア１３，２３が十分な剛性を有しやすくなる。第１および第２補助吸収性コア１３，２３の目付が２００ｇ／ｍ2以下であれば、吸収性物品１の全体の厚みが厚くなりにくくなり、吸収性物品１の装着感が向上する。なお、第１補助吸収性コア１３と第２補助吸収性コア２３の目付は、同一であっても異なっていてもよい。
【００５５】
第１補助吸収性コア１３が第１補助シート１２に包まれ、第２補助吸収性コア２３が第２補助シート２２に包まれる場合、第１および第２補助シート１２，２２は液透過性であることが好ましい。この場合、着用者から排泄された尿等は、第１および第２補助シート１２，２２を通って第１および第２補助吸収性コア１３，２３に吸収されるようになる。尿等は、着用者から排泄されて直接第１および第２補助吸収体１１，２１に収容されてもよく、主吸収体２の上面に一旦溜められて、その後第１および第２補助吸収体１１，２１の下面から第１および第２補助吸収体１１，２１に収容されてもよい。
【００５６】
図３に示された実施態様とは異なるが、第１補助吸収性コア１３は第１補助トップシートと第１補助バックシートの間に配されるものでもよく、第２補助吸収性コア２３は第２補助トップシートと第２補助バックシートの間に配されるものでもよい。なお、第１および第２補助バックシートとは、主吸収体２側に設けられるシートを意味する。
【００５７】
第１および第２補助トップシートは液透過性であることが好ましく、第１および第２補助バックシートは液透過性であっても液不透過性であってもよい。第１および第２補助バックシートが液透過性であれば、主吸収体２の上面に溜まった尿等を第１および第２補助吸収性コア１３，２３が吸収できるようになる。第１および第２補助バックシートが液不透過性であれば、尿等の排泄物を主吸収体２に優先的に収容させて、第１および第２補助吸収性コア１３，２３を長時間にわたり軽量に維持しやすくなる。従って、吸収性物品１を長時間にわたって使用しても、第１および第２補助吸収性コア１３，２３が幅方向ｘにスライドしやすくなる。
【００５８】
第１および第２補助シート、第１および第２補助トップシート、ならびに液透過性の第１および第２補助バックシートとしては、主吸収体２のトップシート３として使用可能な材料を用いればよい。液不透過性の第１および第２補助バックシートとしては、主吸収体２のバックシート４として使用可能な材料を用いればよい。
【００５９】
第１および第２補助吸収体１１，２１の形状は特に限定されないが、図１に示すように、幅方向ｘの内方縁が直線形状であることが好ましい。前記説明したように主吸収性コア５は幅方向ｘの両側縁が直線形状であることが好ましいことから、第１および第２補助吸収体１１，２１の幅方向ｘの内方縁が直線形状であれば、主吸収性コア５、第１補助吸収体１１、第２補助吸収体２１のそれぞれが良好に収まりやすくなる。
【００６０】
図５は、図１に示した吸収性物品（尿パッド）の変形例を表すが、第１および第２補助吸収体１１，２１は、図５に示すように、幅方向ｘの内方縁に切欠き１４，２４が形成されていることも好ましい。第１補助吸収体１１の幅方向ｘの内方縁に切欠き１４が形成され、第２補助吸収体２１の幅方向ｘの内方縁に切欠き２４が形成されれば、切欠き１４，２４が形成された部分で第１補助吸収体１１と第２補助吸収体２１の間隔が広がり、当該部分で着用者から排泄された尿等のより多くの量を、主吸収体２に移行させることができる。従って、尿等の横漏れが防止されやすくなる。なお、切欠き１４，２４は着用者の排尿部が当てられる付近に形成されることが好ましい。
【００６１】
吸収性物品１の上面には、図３に示すように、幅方向ｘの両側に一対の立ち上がりフラップ３１が備えられることが好ましい。立ち上がりフラップ３１が備えられることにより、尿等の排泄物の横漏れを防ぐことができる。立ち上がりフラップ３１は、図３に示すように、第１および第２補助吸収体１１，２１に液不透過性のシートを接合し、このシートの幅方向ｘの内方端に弾性部材３２を設けることにより形成されることが好ましい。このように立ち上がりフラップ３１を設けることにより、吸収性物品１を着用した際、立ち上がりフラップ３１が弾性部材３２の収縮力により上方に立ち上がり、防漏壁が形成される。立ち上がりフラップ３１を構成する液不透過性のシートとしては、液不透過性のプラスチックフィルムや液不透過性の不織布等を採用すればよい。
【００６２】
立ち上がりフラップ３１は、上方に立ち上がる部分の基部に、弾性部材３３が設けられることが好ましい。立ち上がりフラップ３１の基部に弾性部材３３が設けられることにより、弾性部材３３が設けられた部分で第１および第２補助吸収体１１，２１が着用者側に持ち上げられるとともに、第１および第２補助吸収体１１，２１が長手方向ｙに対し湾曲するようになる。その結果、第１および第２補助吸収体１１，２１の着用者へのフィット性が高まる。
【００６３】
次に、本発明の吸収性物品の別の実施態様について図６を参照して説明する。図６は、図１に示した吸収性物品１のＡ−Ａ断面の他の一例を表す。図６に示した吸収性物品は、主吸収体２に第２主吸収性コア７が設けられ、弾性部材６が第２主吸収性コア７に設けられる以外は、図１〜図４に示した吸収性物品と同じである。従って、下記の説明において、図１〜図４の実施態様と重複する部分の説明は省略する。
【００６４】
主吸収体２は、第１主吸収性コア５とバックシート４の間に配された第２主吸収性コア７を有してもよい。なお第２主吸収性コア７は、不織布シート９，９間に吸水性樹脂８を有しパルプ繊維を有しない。第２主吸収性コア７は不織布シート９，９間に吸水性樹脂８を有するため、高い吸収容量を実現できる。従って、主吸収体２に第２主吸収性コア７を設けることにより、主吸収体２の吸収容量を高めることができる。また、第２主吸収性コア７は不織布シート９，９間にパルプ繊維を有しないため、嵩張らず薄型に形成することができる。従って、第２主吸収性コア７は厚みを薄くして柔軟に形成することができ、第２主吸収性コア７を第１主吸収性コア５の幅方向ｘの両側縁から延在するように設けても、第１主吸収性コア５の幅方向ｘの外方の部分を弾性部材６の収縮力により立ち上げることが容易になる。
【００６５】
第２主吸収性コア７に設けられる吸水性樹脂８としては、第１主吸収性コア５に使用可能な吸水性樹脂を用いればよく、高い吸収容量を有する点で、ポリアクリル酸ナトリウム等のポリアクリル酸系の吸水性樹脂を用いることが好ましい。
【００６６】
第２主吸収性コア７に用いられる不織布シート９は液透過性であり、そのような不織布シートとしては、例えば、セルロース、レーヨン、コットン等の親水性繊維；ポリプロピレン、ポリエチレン、ポリエステル、ポリアミド等の疎水性繊維を界面活性剤で親水化したものを用いればよい。
【００６７】
第２主吸収性コア７は、図６に示すように、上側の第１不織布シートと下側の第２不織布シートとからなる２枚の不織布シートの間に吸水性樹脂が配されてもよい。この場合、第１不織布シートと第２不織布シートは、各々１枚の不織布シートから構成されてもよく、２枚以上の不織布シートが重ねられて構成されてもよい。また、第１不織布シートと第２不織布シートとが、１枚の不織布シートが折り目で折り返されて、折り目を挟んで一方側を第１不織布シートとして、他方側を第２不織布シートとしてもよい。この場合、１枚の不織布シートが折り返された内側に吸収性樹脂が配される。
【００６８】
第２主吸収性コア７は、少なくとも第１主吸収性コア５の下面に配されればよいが、図６に示すように、第２主吸収性コア７が第１主吸収性コア５より幅方向ｘに広いことが好ましい。この場合、第２主吸収性コア７が第１主吸収性コア５の幅方向ｘの両側縁から延在することとなる。このように第２主吸収性コア７が設けられれば、第１主吸収性コア５の幅方向ｘの外方に移行した尿等が第２主吸収性コア７により吸収されるようになり、主吸収体２での尿等の吸収能力が向上する。
【００６９】
主吸収体２が第２主吸収性コア７を有する場合、弾性部材６は、トップシート３に固定されても、バックシート４に固定されても、第２主吸収性コア７に固定されてもよい。しかし、主吸収体２が第２主吸収性コア７を有する場合は、弾性部材６が第２主吸収性コア７に設けられることが好ましい。第２主吸収性コア７はトップシート３とバックシート４よりも剛性が高くなるのが一般的であり、第２主吸収性コア７に弾性部材６が設けられれば、弾性部材６の収縮力が第２主吸収性コア７に直接作用し、主吸収体２は、第１主吸収性コア５の幅方向ｘの外方の部分が立ち上がりやすくなる。その結果、第１および第２補助吸収体１１，２１が幅方向ｘの内方にスライドしやすくなる。
【００７０】
第２主吸収性コア７に弾性部材６が設けられる場合、第２主吸収性コア７は、不織布シート９，９間に、吸水性樹脂８が配された吸水性樹脂存在領域と、吸水性樹脂存在領域に隣接して長手方向ｙに延在する吸水性樹脂非存在領域とを有し、弾性部材６が吸水性樹脂非存在領域に配されることが好ましい。弾性部材６が第２主吸収性コア７の吸水性樹脂非存在領域に配されていれば、弾性部材６の収縮力が吸水性樹脂８の存在により阻害されにくくなる。
【００７１】
吸水性樹脂存在領域と吸水性樹脂非存在領域は、第２主吸収性コア７の長手方向ｙの長さとほぼ等しい長さを有する略長方形状で設けられることが好ましい。このように吸水性樹脂存在領域と吸水性樹脂非存在領域が設けられれば、第２主吸収性コア７に移行した尿等が長手方向ｙに拡散しやすくなり、尿等が第２主吸収性コア７によって速やかに吸収されるようになる。また、吸水性樹脂を所定幅で一方向に連続的に散布することにより吸水性樹脂存在領域と吸水性樹脂非存在領域を形成することができるので、第２主吸収性コア７の製造が容易になる。
【００７２】
第２主吸収性コア７は、吸水性樹脂非存在領域で、不織布シート９，９どうしが接合されることが好ましい。このように第２主吸収性コア７が形成されれば、第２主吸収性コア７の吸水性樹脂８が尿等を吸収して膨潤しても、不織布シート９，９どうしが接合された封止部に吸水性樹脂８が侵入しにくくなる。従って、弾性部材６の収縮力が吸水性樹脂８の存在により阻害されにくくなる。また、封止部では尿等が拡散しやすくなり、第２主吸収性コア７により尿等が速やかに吸収されるようになる。
【００７３】
封止部は、第２主吸収性コア７が吸水しても、不織布シート９，９どうしの接合が維持されることが好ましい。従って、不織布シート９，９どうしは、ゴム系接着剤やスチレン系エラストマーで接着することが好ましい。このような接着剤を用いれば、吸水性樹脂８が吸水して膨潤しても、不織布シート９，９どうしの接合が維持されやすくなる。ゴム系接着剤としては、例えば、天然ゴム系、ブチルゴム系、ポリイソプレン等の接着剤が挙げられ、スチレン系エラストマーとしては、例えば、スチレン−イソプレン−スチレンブロック共重合体（ＳＩＳ）、スチレン−ブタジエン−スチレンブロック共重合体（ＳＢＳ）、スチレン−エチレン−ブタジエン−スチレンブロック共重合体（ＳＥＢＳ）、スチレン−エチレン−プロピレン−スチレンブロック共重合体（ＳＥＰＳ）等が挙げられる。
【００７４】
上記では、本発明の吸収性物品を尿パッドに適用する場合について説明したが、本発明の吸収性物品は尿パッドに限定されず、使い捨ておむつや生理用ナプキン等にも適用できる。もちろん、吸収性物品を尿パッドに適用する場合も、図面に示した実施態様に限定されない。吸収性物品が使い捨ておむつである場合、使い捨ておむつは、左右に一対の止着部材が設けられ、当該止着部材により着用時にパンツ型に形成するオープン型使い捨ておむつであってもよく、ウェスト開口部と一対の脚開口部とが形成されたパンツ型使い捨ておむつであってもよい。
【符号の説明】
【００７５】
１：  吸収性物品（尿パッド）
２：  主吸収体
３：  トップシート
４：  バックシート
５：  第１主吸収性コア
６：  弾性部材
７：  第２主吸収性コア
１１：  第１補助吸収体
１３：  第１補助吸収性コア
２１：  第２補助吸収体
２３：  第２補助吸収性コア
【図１】
0005523958.tif 000002
【図２】
0005523958.tif 000003
【図３】
0005523958.tif 000004
【図４】
0005523958.tif 000005
【図５】
0005523958.tif 000006
【図６】
0005523958.tif 000007